(57)【特許請求の範囲】
【請求項１】
放送番組の情報を示す番組情報に対応するオブジェクトが配置されるテンプレートであって、チャンネルを示す軸及び放送時刻を示す軸の何れとも異なる２つの軸によって張られる１又は複数のテンプレートを生成するテンプレート生成手段と、
上記番組情報を取得する取得手段と、
上記取得手段により取得した上記番組情報を参照して、上記１又は複数のテンプレートに上記オブジェクトを配置することにより番組表を生成する番組表生成手段と、を備え、
上記番組表には、上記オブジェクトが配置された上記１又は複数のテンプレートと、各番組情報及び上記オブジェクトが対応付けられた番組情報一覧とが含まれており、
上記１又は複数のテンプレートのうち、少なくとも１つのテンプレートは、地図であり、
上記番組表生成手段は、上記オブジェクトを、当該オブジェクトに対応する番組情報の示す放送番組に関連する地域であって、上記地図上に示される地域と関連づけて配置する、
ことを特徴とする表示装置。
【請求項２】
放送番組の情報を示す番組情報に対応するオブジェクトが配置されるテンプレートであって、チャンネルを示す軸及び放送時刻を示す軸の何れとも異なる２つの軸によって張られる１又は複数のテンプレートを生成するテンプレート生成手段と、
上記番組情報を取得する取得手段と、
上記取得手段により取得した上記番組情報を参照して、上記１又は複数のテンプレートに上記オブジェクトを配置することにより番組表を生成する番組表生成手段と、を備え、
上記番組表には、上記オブジェクトが配置された上記１又は複数のテンプレートと、各番組情報及び上記オブジェクトが対応付けられた番組情報一覧とが含まれており、
上記１又は複数のテンプレートのうち、少なくとも１つのテンプレートは、料理又は体の部位を示す画像である
ことを特徴とする表示装置。
【請求項３】
請求項１または２に記載の表示装置に対し、上記表示装置が上記番組表を生成する際に参照する配置情報を送出する送出手段を備えている、
ことを特徴とする送出機。
【請求項４】
請求項１または２に記載の表示装置と、請求項３に記載の送出機とを含んでいる、
ことを特徴とする放送システム。
【請求項５】
放送番組の情報を示す番組情報に対応するオブジェクトが配置されるテンプレートであって、チャンネルを示す軸及び放送時刻を示す軸の何れとも異なる２つの軸によって張られる１又は複数のテンプレートを生成するテンプレート生成工程と、
上記番組情報を取得する取得工程と、
上記取得工程にて取得した上記番組情報を参照して、上記１又は複数のテンプレートに上記オブジェクトを配置することにより番組表を生成する番組表生成工程と、を含み、
上記番組表には、上記オブジェクトが配置された上記１又は複数のテンプレートと、各番組情報及び上記オブジェクトが対応付けられた番組情報一覧とが含まれており、
上記１又は複数のテンプレートのうち、少なくとも１つのテンプレートは、地図であり、
上記番組表生成工程において、上記オブジェクトを、当該オブジェクトに対応する番組情報の示す放送番組に関連する地域であって、上記地図上に示される地域と関連づけて配置する、
ことを特徴とする表示方法。
【発明の詳細な説明】
【技術分野】
【０００１】
本発明は、表示装置、及び、表示方法に関する。また、表示装置の各手段を備えたテレビジョン受像機、表示装置にデータを送出する送出機、ならびに、そのような表示装置及び送出機を含む放送システムに関する。さらに、表示装置としてコンピュータを動作させるためのプログラム、及び、そのようなプログラムが記録されている記録媒体に関する。
【背景技術】
【０００２】
従来から、デジタル放送を受信可能なテレビにおいて、電子番組表（ＥＰＧ：Electrical Programming Guide）を表示することが行われている。電子番組表は、一般的に、放送番組の放送チャンネルを示す軸を横軸とし、放送番組の放送時刻を示す軸を縦軸として、各番組の情報を示す番組情報がマトリックス状に配置されたものである。電子番組表は、放送番組の情報を示す番組情報であって、放送信号に付加されている番組情報に基づいて生成される。具体的には、テレビは、番組情報を解析して当該番組情報に含まれている放送チャンネル及び放送時刻を抽出することにより、電子番組表を生成する。ユーザは、電子番組表に配置された任意の番組情報を選択することにより、当該番組情報の示す放送番組の視聴または録画することができる。
【０００３】
ここで、放送信号に付加される番組情報には、放送チャンネル及び放送時刻だけではなく、例えば、番組の簡単な説明を記述したテキストなどのような情報を含めることができる。番組情報に含まれる情報を用いる技術の一例として、特許文献１には、番組情報のキーワード検索を行い、キーワード検索に一致した番組の予約録画を自動で行う情報処理装置が記載されている。
【０００４】
近年では、テレビの大画面化、表示領域の高精細化に伴って、表示画面に表示可能な情報量が増大しており、番組情報に含まれる様々な情報を用いることにより、ユーザに新たな価値を提供することが試みられつつある。
【先行技術文献】
【特許文献】
【０００５】
【特許文献１】特開２００８−３１２１５２号公報（２００８年１２月２５日公開）
【発明の概要】
【発明が解決しようとする課題】
【０００６】
従来の電子番組表は、新聞における、いわゆるラテ欄（ラジオ−テレビ欄）と同様の構成であるため、ユーザにとって馴染みのある番組表である。しかしながら、従来の電子番組表においては、ユーザが所望する内容を含む放送番組を見つけようとする場合に、ユーザの負担が大きいという課題がある。
【０００７】
特に、近年においては、ユーザのテレビの視聴の仕方が多様化している。例えば、テレビに内蔵または接続された記録装置に、視聴したい放送番組を録画することが一般的になっている。上記の場合、ユーザは、視聴したい放送番組の放送チャンネル及び放送時刻を気にすることなく、所望の内容を含む番組の予約録画を行うので、従来の電子番組表のような番組表を表示する必要性が薄れていると考えられる。
【０００８】
本発明は、上記の課題に鑑みて行われたものであり、その目的は、従来の電子番組表とは異なる番組表を表示することにより、所望の放送番組を見つけることが容易な表示装置を提供することにある。
【課題を解決するための手段】
【０００９】
上記の課題を解決するために、本発明の一態様に係る表示装置は、放送番組の情報を示す番組情報に対応するオブジェクトが配置されるテンプレートであって、チャンネルを示す軸及び放送時刻を示す軸の何れとも異なる２つの軸によって張られる１又は複数のテンプレートを生成するテンプレート生成手段と、上記番組情報を取得する取得手段と、上記取得手段により取得した上記番組情報を参照して、上記１又は複数のテンプレートに上記オブジェクトを配置することにより番組表を生成する番組表生成手段と、を備えている、ことを特徴とする。
【００１０】
また、上記の課題を解決するために、本発明の一態様に係る表示方法は、放送番組の情報を示す番組情報に対応するオブジェクトが配置されるテンプレートであって、チャンネルを示す軸及び放送時刻を示す軸の何れとも異なる２つの軸によって張られる１又は複数のテンプレートを生成するテンプレート生成工程と、上記番組情報を取得する取得工程と、上記取得工程にて取得した上記番組情報を参照して、上記１又は複数のテンプレートに上記オブジェクトを配置することにより番組表を生成する番組表生成工程と、を含んでいる、ことを特徴とする。
【発明の効果】
【００１１】
本発明の一態様によれば、従来の電子番組表とは異なる番組表を表示することにより、所望の放送番組を見つけることが容易な表示装置を提供することができる。
【図面の簡単な説明】
【００１２】
【図１】本発明の第１の実施形態に係る表示装置の構成を示すブロック図である。
【図２】図１に示す表示装置と、当該表示装置にデータを送出する送出機とを含む放送システムの構成を示すブロック図である。
【図３】図１に示す表示装置が表示する番組表の一例を示す図である。
【図４】図１に示す表示装置が取得するＥＩＴ（Event Information Table）に含まれる位置情報の一例を示す図であり、（ａ）は、ＥＩＴに位置情報記述子として位置情報が付加される場合の一例を示し、（ｂ）は、ＥＩＴに位置情報を取得するためのＵＲＬ（Uniform Resource Locator）が付加される場合の一例を示す。
【図５】図１に示す表示装置が、番組表の生成に先立って位置情報番組リストを生成する際の動作の一例を示すフローチャートである。
【図６】図１に示す表示装置が作成する番組情報データベース及び位置情報番組リストの一例を示す図である。
【図７】図１に示す表示装置が番組表を表示する際の動作の一例を示すフローチャートである。
【図８】図１に示す表示装置が表示する番組表の一例を示す図であり、（ａ）は、図７のステップＳ２５にて表示される画面の一例を示し、（ｂ）は、図７のステップＳ２７にて表示される画面の一例を示し、（ｃ）は、図７のステップＳ２８にて表示される画面の一例を示す。
【図９】図１に示す表示装置が表示する番組表の他の一例を示す図であり、（ａ）は、ＯＳＤ生成部が１つのテンプレートを生成する場合の番組表の一例を示し、（ｂ）は、ＯＳＤ生成部が複数のテンプレートを生成する場合の番組表の一例を示す。
【図１０】第１の変形例に係る表示装置が表示する番組表の一例を示す図である。
【図１１】第２の変形例に係る表示装置が表示する番組表の一例を示す図である。
【図１２】第３の変形例に係る表示装置が表示する番組表の一例を示す図である。
【図１３】本発明の第２の実施形態に係る表示装置が表示する番組表の一例を示す図である。
【図１４】本発明の第３の実施形態に係る表示装置が表示する番組表の一例を示す図である。
【図１５】本発明の第４の実施形態に係る表示装置が表示する番組表の一例を示す図である。
【図１６】本発明の第４の実施形態に係る表示装置が表示する番組表の他の一例を示す図である。
【図１７】本発明の第５の実施形態に係る表示装置が表示する番組表の一例を示す図である。
【図１８】図１に示す表示装置の構成例を示す外観図であり、（ａ）は表示装置、及び当該表示装置に接続される外付けディスプレイを示す外観図であり、（ｂ）はディスプレイを備えた表示装置を示す外観図であり、（ｃ）は表示装置、及び当該表示装置に接続される再生装置を示す外観図である。
【発明を実施するための形態】
【００１３】
〔第１の実施形態〕
本発明の一実施形態に係る表示装置について、図面に基づいて説明すれば以下のとおりである。なお、本実施形態に係る表示装置は、テレビジョン受像機として実現されているので、以下ではこれを「テレビ」と呼ぶ。ただし、本発明の適用範囲は、表示機能を有する表示装置一般に及ぶものであって、テレビに限定されるものではない。
【００１４】
（テレビの構成）
図１は、テレビ（表示装置）１の構成を示すブロック図である。テレビ１は、図１に示すように、外部入力端子１０１、地上デジタル放送チューナ１０２（取得手段）、衛星放送チューナ１０３（取得手段）、録画再生部１０４、ＢＤドライブ１０５、映像セレクタ１０６、映像処理回路１０７、ＯＳＤ（On-Screen Display）生成部（テンプレート生成手段、番組表生成手段、判定手段、抽出手段）１０８、ＬＣＤ（Liquid Crystal Display）コントローラ（切替手段）１０９、ＬＣＤ１１０、音声セレクタ１１１、音声処理回路１１２、アンプ１１３、スピーカ１１４、ＵＳＢ（Universal Serial Bus）インターフェース１１５、ＲＯＭ１１６、ＲＡＭ１１７、ＣＰＵ１１８、赤外線受光部１１９、カメラ１２０、および、ＨＤドライブ１２１を備えている。図１においては、映像信号の経路を実線で、音声信号の経路を１点鎖線で、データや制御信号の経路（バス）を太線で示している。
【００１５】
外部入力端子１０１は、映像入力端子１０１ａと音声入力端子１０１ｂとを含む。映像入力端子１０１ａは、映像信号を入力するためのものであり、例えば、ＤＶＩ端子である。音声入力端子１０１ｂは、音声信号を入力するためのものであり、例えば、Ｓ／ＰＤＩＦ端子である。ただし、外部入力端子１０１は、これに限定されず、映像入力端子１０１ａと音声入力端子１０１ｂとが一体化されたＨＤＭＩ（登録商標）端子などであってもよい。
【００１６】
地上デジタル放送チューナ１０２は、地上デジタル放送により放送される放送番組及び放送番組に付加されているＥＩＴ（Event Information Table）を受信するためのチューナである。受信したＥＩＴには、放送番組の情報を示す番組情報が含まれている。したがって、地上デジタル放送チューナ１０２は、番組情報を取得するための取得手段としても機能する。なお、「番組情報」には、例えば、当該番組情報の示す放送番組を示すイベントＩＤ（EventID）、当該放送番組の放送チャンネルを示すサービスＩＤ（ServiceID）、番組名、放送日時、出演者名、及び、当該放送番組に関する説明などが含まれる。
【００１７】
地上デジタル放送チューナ１０２は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号および音声信号を復号する復号部により構成することができる。
【００１８】
地上デジタル放送チューナ１０２により受信されたＥＩＴは、ＯＳＤ生成部１０８に供給される。また、地上デジタル放送チューナ１０２により復調されたＭＰＥＧ２ストリームは、バスを介して録画再生部１０４に供給される。さらに、地上デジタル放送チューナ１０２により復号された映像信号および音声信号は、それぞれ、映像セレクタ１０６および音声セレクタ１１１に供給される。なお、地上デジタル放送チューナ１０２が何れのチャンネルを復調対象として選択するかは、ＣＰＵ１１８により制御される。
【００１９】
なお、地上デジタル放送チューナ１０２は、異なるチャンネルを介して放送される２つのＭＰＥＧ２ストリームを同時に復調することが可能なダブルチューナであることが好ましい。この場合、地上デジタル放送チューナ１０２は、選局対象チャンネルとして選択した第１のチャンネルを介して放送されるＭＰＥＧ２ストリームを録画再生部１０４に供給すると共に、そのＭＰＥＧ２ストリームから復号した映像信号および音声信号を映像セレクタ１０６および音声セレクタ１１１に供給する。また、地上デジタル放送チューナ１０２は、録画対象チャンネルとして選択した第２のチャンネルを介して放送されるＭＰＥＧ
２ストリームを録画再生部１０４に供給する。
【００２０】
もちろん、本発明に係る地上デジタル放送チューナ１０２は、ダブルチューナに限定されるものではなく、例えば、シングルチューナであってもよく、３つ以上のチューナを備える複数のチューナであってもよい。地上デジタル放送チューナ１０２がシングルチューナである場合には、ユーザが放送番組を視聴していないときに限って、放送番組を表すＭＰＥＧ２ストリームを録画再生部１０４に供給することができる。また、地上デジタル放送チューナ１０２が複数のチューナによって構成される場合には、チャンネル毎、放送波毎、又は、視聴者毎（例えば、お父さん、お母さん、及び、子供など）に、異なるチャンネルを介して放送される放送番組を表すＭＰＥＧ２ストリームを録画再生部１０４に供給することができる。
【００２１】
衛星放送チューナ１０３は、衛星放送により放送される放送番組及びＥＩＴを受信するためのチューナである。衛星放送チューナ１０３は、地上デジタル放送チューナ１０２と同様に、番組情報を取得するための取得手段としても機能する。衛星放送チューナ１０３は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号を復号する復号部により構成することができる。
【００２２】
衛星放送チューナ１０３により受信されたＥＩＴは、ＯＳＤ生成部１０８に供給される。また、衛星放送チューナ１０３により復調されたＭＰＥＧ２ストリームは、録画再生部１０４に供給される。さらに、衛星放送チューナ１０３により復号された映像信号および音声信号は、それぞれ、映像セレクタ１０６および音声セレクタ１１１に供給さる。なお、衛星放送チューナ１０３が何れのチャンネルを介して伝送されるＭＰＥＧ２データストリームを復調するかは、ＣＰＵ１１８により選択される。
【００２３】
なお、本実施形態における衛星放送チューナ１０３は、地上デジタル放送チューナ１０２と同様、異なるチャンネルを介して放送される２つの放送番組を同時に受信することが可能なダブルチューナであることが好ましい。
【００２４】
録画再生部１０４は、録画部１０４ａと再生部１０４ｂとを含む。録画部１０４ａは、地上デジタル放送チューナ１０２および衛星放送チューナ１０３の何れかからＭＰＥＧ２ストリームを取得し、取得したＭＰＥＧ２ストリームを記録装置に書き込む。録画部１０４ａは、テレビ１に内蔵されたＢＤドライブ１０５、テレビ１に内蔵されたＨＤドライブ１２１、および、ＵＳＢインターフェース１１５に接続されたＨＤドライブ（不図示）を、ＭＰＥＧ２ストリームを記録するための記録装置として利用することができる。再生部１０４ｂは、記録装置からＭＰＥＧ２ストリームを読み出し、読み出したＭＰＥＧ２ストリームから映像信号および音声信号を復号する。再生部１０４ｂにより復号された映像信号および音声信号は、それぞれ、映像セレクタ１０６および音声セレクタ１１１に供給される。
【００２５】
映像セレクタ１０６には、上述した４種類の映像信号が供給される。すなわち、（１）外部入力端子１０１（特に映像入力端子１０１ａ）から入力された映像信号、（２）地上デジタル放送チューナ１０２にて復号された映像信号、（３）衛星放送チューナ１０３にて復号された映像信号、および、（４）録画再生部１０４（特に再生部１０４ｂ）にて復号された映像信号が入力される。映像セレクタ１０６は、上記（１）〜（４）の映像信号のうちの何れか１つを選択する。映像セレクタ１０６によって選択された映像信号は、映像処理回路１０７に供給される。なお、映像セレクタ１０６が何れの映像信号を選択するかは、ＣＰＵ１１８によって制御される。
【００２６】
映像処理回路１０７は、映像セレクタ１０６から供給された映像信号に画質調整処理を施す。また、映像処理回路１０７は、映像セレクタ１０６から供給された映像信号にスケーリング処理を施す。ここで、画質調整処理とは、例えば、映像信号を加工することによって、その映像信号が表す映像の輝度、シャープネス、および、コントラストの少なくとも何れかを変更することを指す。また、スケーリング処理とは、映像信号を加工することによって、その映像信号が表す映像のサイズを相似拡大または相似縮小することを指す。映像処理回路１０７によって加工された映像信号は、ＬＣＤコントローラ１０９に供給される。なお、映像処理回路１０７が画質およびサイズをどのように変更するかは、ＣＰＵ１１８によって制御される。
【００２７】
ＯＳＤ生成部１０８は、番組情報に対応するオブジェクトが配置されるテンプレートを生成するためのテンプレート生成手段として機能する。ここで、ＯＳＤ生成部１０８が生成するテンプレートは、各番組情報、及び各番組情報に対応するオブジェクトが配置される枠組みである。番組情報に対応するオブジェクトの一例としては、番組情報を表示するためのセル、当該セルに対応していることを示す画像、及び番組情報の示す放送番組に関連した画像などが含まれており、番組情報それ自体であってもよい。ＯＳＤ生成部１０８は、地上デジタル放送チューナ１０２及び衛星放送チューナ１０３から供給されたＥＩＴに含まれる番組情報を参照して、生成したテンプレートに上記オブジェクトを配置することにより番組表を生成するための番組表生成手段としても機能する。なお、以下の説明において、単に「番組表」と記載する場合、本実施形態に係るＯＳＤ生成部１０８が生成する番組表であって、従来の電子番組表とは異なる番組表のことを意味する。
【００２８】
さらに、ＯＳＤ生成部１０８は、テンプレートを切り替える切替手段としても機能する。例えば、ＯＳＤ生成部１０８は、ユーザからの操作指示に応じて、複数のテンプレートのうち、何れかのテンプレートを用いて番組表を生成する。
【００２９】
なお、各放送局から提供されるＥＩＴは、例えば、地上デジタル放送チューナ１０２又は衛星放送チューナ１０３を用いて取得してもよいし、図示しないイーサーネット（登録商標）インターフェースを介して、インターネットに接続されたサーバから取得してもよい。ＯＳＤ生成部１０８が番組表を生成する処理の詳細については、後述する。
【００３０】
また、ＯＳＤ生成部１０８は、ＣＰＵ１１８から供給されたＯＳＤデータからＯＳＤ画像を生成（レンダリング）する。ＯＳＤ生成部１０８が生成するＯＳＤ画像としては、従来の電子番組表などが挙げられる。ＯＳＤデータとしては、例えば、ＳＶＧ（Scalable Vector Graphics）を用いることができる。ＯＳＤ生成部１０８により生成されたＯＳＤ画像は、映像処理回路１０７から供給された映像信号に重畳され、ＬＣＤコントローラ１０９に供給される。
【００３１】
ＬＣＤコントローラ１０９は、映像処理回路１０７から供給された映像信号に基づいて、その映像信号が表す映像を表示するようにＬＣＤ１１０を駆動する表示手段として機能する。また、ＯＳＤ生成部１０８からＯＳＤ画像が供給されている場合、ＬＣＤコントローラ１０９は、映像処理回路１０７から供給された映像信号にＯＳＤ画像が重畳されたものに基づいて、その映像信号が表す映像を表示するようにＬＣＤ１１０を駆動する表示手段として機能する。
【００３２】
音声セレクタ１１１には、上述した４種類の音声信号が供給される。すなわち、（１）外部入力端子１０１（特に音声入力端子１０１ｂ）から入力された音声信号、（２）地上デジタル放送チューナ１０２にて復号された音声信号、（３）衛星放送チューナ１０３にて復号された音声信号、および、（４）録画再生部１０４（特に再生部１０４ｂ）にて復号された音声信号が入力される。音声セレクタ１１１は、上記（１）〜（４）の音声信号のうちの何れか１つを選択する。
【００３３】
音声セレクタ１１１によって選択された音声信号は、音声処理回路１１２に供給される。なお、音声セレクタ１１１が何れの音声信号を選択するかは、ＣＰＵ１１８によって制御される。ただし、映像セレクタ１０６における映像の選択と、音声セレクタ１１１における音声の選択とは連動しており、例えば、映像セレクタ１０６が地上デジタル放送チューナ１０２から供給された映像信号を選択しているときには、音声セレクタ１１１も地上デジタル放送チューナ１０２から供給された音声信号を選択する。
【００３４】
音声処理回路１１２は、音声セレクタ１１１から供給された音声信号に音量調整処理を施す。また、音声処理回路１１２は、音声セレクタ１１１から供給された音声信号に音質調整処理を施す。ここで、音量調整処理とは、音声信号を加工することによって、その音声信号が表す音声の音量を変更することを指す。また、音質調整処理とは、音声信号を加工することによって、その音声信号が表す音声の周波数特性を変更すること（例えば、低域の強調や高域の強調など）を指す。音声処理回路１１２によって加工された音声信号は、アンプ１１３に供給される。なお、音声処理回路１１２によって音量および音質をどのように変更するかは、ＣＰＵ１１８によって制御される。
【００３５】
アンプ１１３は、音声処理回路１１２から供給された音声信号に基づいて、その音声信号が表す音声を出力するようにスピーカ１１４を駆動する。
【００３６】
ＣＰＵ１１８は、赤外線受光部１１９が受信したリモコン信号、および、カメラ１２０が撮像した画像に応じて上記各部を制御する。赤外線受光部１１９を用いた制御としては、例えば、地上デジタル放送チューナ１０２および衛星放送チューナ１０３の受信チャンネルをリモコン信号に応じて切り替える制御や、映像セレクタ１０６および音声セレクタ
１１１にて選択する映像信号および音声信号をリモコン信号に応じて切り替える制御などが挙げられる。また、カメラ１２０を用いた制御としては、例えば、映像処理回路１０７にて画質をどのように調整するかを、撮像した画像に基づいて特定した視聴者に応じて切り替える制御などが挙げられる。
【００３７】
ＲＯＭ１１６は、ＣＰＵ１１８によって実行されるプログラムなどの固定データが格納されるメモリであって、電源を落としても内容が消去されない不揮発なメモリである。一方、ＲＡＭ１１７は、ＣＰＵ１１８が演算のために参照するデータや、ＣＰＵ１１８が演算によって生成したデータなどの可変データが格納される、読み出し可能かつ書き込み可能なメモリである。
【００３８】
ＵＳＢインターフェース１１５は、ＵＳＢ機器をテレビ１に接続するためのインターフェースである。テレビ１に接続可能なＵＳＢ機器としては、ＨＤ（ハードディスク）ドライブなどの記録装置が代表的である。
【００３９】
なお、本実施形態においては、テレビ１に内蔵されたＨＤドライブ１２１（内蔵ＨＤドライブ）、ＵＳＢインターフェース１１５に接続されたＨＤドライブ（外付ＨＤドライブ）、および、テレビ１に内蔵されたＢＤドライブ１０５（内蔵ＢＤドライブ）を、録画番組の蓄積に利用する構成を採用しているが、本発明はこれに限定されない。また、テレビ１にＢＤドライブがＵＳＢ接続されている場合、このＢＤドライブ（外付ＢＤドライブ）を録画番組の蓄積に利用してもよい。また、ＢＤドライブ以外の光ディスクドライブがＵＳＢ接続されている場合、この光ディスクドライブを録画番組の蓄積に利用してもよいし、ＵＳＢフラッシュメモリなどの記録媒体を録画番組の蓄積に利用してもよい。要するに、記録媒体は、録画番組を蓄積が可能であれば、何を用いてもよい。
【００４０】
また、録画番組の蓄積に利用する外部記録装置を接続するためのインターフェースも、ＵＳＢインターフェース１１５に限定されない。すなわち、ＵＳＢインターフェース１１５は、例えば、ＡＴＡ（Advanced Technology Attachment）、ＡＴＡＰＩ（ATA Packet Interface）、ＩＥＥＥ１３９４、ＨＤＭＩ（High-Definition Multimedia Interface）、および、ＬＡＮなどの有線接続用インターフェース、あるいは、ＩＥＥＥ８０２１１などの無線接続用インターフェースに置換することが可能である。ＳＤカードが接続されている場合には、このＳＤカードを録画番組の蓄積に利用してもよい。要するに、外部記録装置を接続するためのインターフェースは、録画番組を伝送可能なものであれば、何を用いてもよい。
【００４１】
また、本実施形態においては、地上デジタル放送の方式として、ＭＰＥＧ２ストリームを多重化する方式（米国におけるＡＴＳＣ方式や日本におけるＩＳＤＢ−Ｔ方式など）を想定しているが、本発明はこれに限定されるものではない。すなわち、例えば、ＭＰＥＧ２ストリームを多重化する代わりに、ＭＰＥＧ４ストリーム等を多重化する方式（欧州におけるＤＶＢ−Ｔ／ＤＶＢ−Ｔ２方式など）に対しても本発明を適用することができる。
後者の場合、復調したＭＰＥＧ４ストリームをそのまま記録媒体に記録する構成を採用してもよいし、あるいは、復調したＭＰＥＧ４ストリームをＭＰＥＧ２ストリームに変換して記録媒体に記録する構成を採用してもよい。
【００４２】
（放送システムの構成）
続いて、本発明の一実施形態に係る放送システムについて図２を参照して説明する。図２は、テレビ１と、テレビ１にＥＩＴを送出する送出機２とを含む放送システム１０の構成を示すブロック図である。
【００４３】
図２に示すように、送出機２は、ＡＶエンコーダ２０１、ＳＩ／ＥＰＧ生成部２０２、多重化処理部２０３、暗号化処理部２０４、変調処理部２０５、及び通信部（送出手段）２０６を備えている。
【００４４】
ＡＶエンコーダ２０１は、放送番組の映像信号及び音声信号を圧縮する。ＡＶエンコーダ２０１により映像信号を圧縮する方式としては、ＭＰＥＧ２が用いられる。また、ＡＶエンコーダ２０１により音声信号を圧縮する方式としては、ＡＡＣが用いられる。ＡＶエンコーダ２０１により圧縮された映像信号及び音声信号は、多重化処理部２０３に供給される。
【００４５】
ＳＩ／ＥＰＧ生成部２０２は、放送番組を制御するための制御情報、及びＥＩＴを生成する。また、ＳＩ／ＥＰＧ生成部２０２は、生成したＥＩＴに配置情報を付加する。ここで、配置情報は、テレビ１のＯＳＤ生成部１０８が、番組情報に対応するオブジェクトをテンプレートに配置する際に参照する情報であり、例えば、放送番組に関連する地域を示す位置情報である。上記の場合、ＳＩ／ＥＰＧ生成部２０２は、例えば、生成したＥＩＴに位置情報を示す位置情報記述子を付加する。ＳＩ／ＥＰＧ生成部２０２により生成された制御情報及びＥＩＴは、多重化処理部２０３に供給される。
【００４６】
多重化処理部２０３は、ＡＶエンコーダ２０１から供給された映像信号及び音声信号と、ＳＩ／ＥＰＧ生成部２０２から供給された制御情報及びＥＩＴとを多重化してＭＰＥＧ２ストリームを生成する。多重化処理部２０３により生成されたＭＰＥＧ２ストリームは、暗号化処理部２０４に供給される。なお、多重化処理部２０３において、データ放送、文字スーパー、及び字幕等に関するデータをさらに多重化する構成としてもよい。
【００４７】
暗号化処理部２０４は、多重化処理部２０３から供給されたＭＰＥＧ２ストリームを暗号化する。暗号化処理部２０４による暗号化のアルゴリズムとしては、Ｍｕｌｔｉ２が用いられる。暗号化処理部２０４により暗号化されたＭＰＥＧ２ストリームは、変調処理部２０５に供給される。
【００４８】
変調処理部２０５は、暗号化処理部２０４から供給されたＭＰＥＧ２ストリームであって、暗号化されたＭＰＥＧ２ストリームを変調し、放送信号を生成する。変調処理部２０５による変調方式として、地上デジタル放送においてはＯＦＤＭが用いられ、衛星放送においては８ＰＳＫが用いられる。変調処理部２０５により生成された放送信号は、通信部２０６に供給される。
【００４９】
通信部２０６は、変調処理部から供給された放送信号を送出する。通信部２０６により送出される放送信号には、当該放送信号の示す放送番組の情報を示す番組情報が含まれている。すなわち、通信部２０６は、テレビ１に番組情報を送出するための送出手段として機能する。
【００５０】
上述したように、テレビ１は、通信部２０６から送出された放送信号を、地上デジタル放送チューナ１０２、または衛星放送チューナ１０３により受信する。
【００５１】
（番組表の生成）
続いて、ＯＳＤ生成部１０８による番組表の生成について図３から図９を参照して説明する。本実施形態において、ＯＳＤ生成部１０８は、地上デジタル放送チューナ１０２及び衛星放送チューナ１０３から供給されたＥＩＴを構文解析（以下では、「パース」とも記載する）することにより、番組情報及び配置情報を取得し、ＲＡＭ１１７に格納する。本実施形態において、配置情報は、放送番組に関連する地域を示す位置情報である。したがって、本実施形態において、送出機２は、ＳＩ／ＥＰＧ生成部２０２により生成したＥＩＴに、位置情報を示す位置情報記述子を付加したうえで、テレビ１に送出する。
【００５２】
ＯＳＤ生成部１０８は、ＲＡＭ１１７を参照して、番組情報を、位置情報の示す地域と関連づけてテンプレートに配置することにより番組表を生成する。
【００５３】
図３は、ＯＳＤ生成部１０８により生成された番組表の一例を示す図である。図３に示す例において、ＯＳＤ生成部１０８は、チャンネルを示す軸、及び放送時刻を示す軸の何れとも異なる２つの軸、すなわち、緯度を示す軸と、経度を示す軸とによって張られるテンプレートＴ１を生成する。テンプレートＴ１は、図３において破線で示された領域のうち、（１）から（４）の番号が付された旗状の目印を除く領域、すなわち、日本列島の地図である。図３に示す番組表は、番組情報の一覧である番組リスト（番組情報一覧）を含んでいる。図３の例において、番組リストに含まれる各番組情報には、番組のタイトル、放送チャンネル、放送日時が含まれており、各番組情報には、（１）から（４）の番号が付されている。そして、図３に示す例において、テンプレートＴ１に、各番組情報との対応を示すオブジェクト（（１）から（４）の番号が付された旗状の目印）が配置されている。例えば、図３に示す例において、番組リストを参照すると、（１）の番号が付された番組情報は、旅番組に関する放送番組の情報であり、当該放送番組に関連する地域が「知床」であることが示されている。また、図３に示す例において、地図を参照すると、地図上の「知床」を示す位置に、（１）の番号が付されたオブジェクトが付されていることがわかる。また、図３に示すように、番組リストにおいて各番組情報が表示される領域の色と、地図上において各番組情報に対応して付されているオブジェクトの色とを一致させることにより、各番組情報と各オブジェクトとの対応付けをユーザに分かりやすく提示している。
【００５４】
図３に示すように、本実施形態に係るテレビ１によれば、チャンネルを示す軸、及び放送時刻を示す軸の何れとも異なる２つの軸、すなわち、緯度を示す軸と、経度を示す軸とによって張られるテンプレートＴ１に、番組情報に対応するオブジェクトを配置した番組表を表示することができる。テレビ１によれば、番組情報と、当該番組情報の示す放送番組に関連した地域を示す地図とを表示することができるので、ユーザに対して視覚的に新しい価値を提示することができる。
【００５５】
なお、図３に示す例において、番組リストには、各番組情報が、当該番組情報の示す放送番組の放送時刻の順に配置されているが、例えば、地図上に付された各オブジェクトを、地図における特定の方向に沿って並べた順に、各番組情報を配置する構成としてもよい。ここで、「特定の方向」とは、例えば、地図において、北から南へ向かう方向とすることにより、各番組情報を、当該番組情報の示す放送番組に関連した地域の緯度の順に配置することができる。
【００５６】
また、図３に示す例においては、日本列島の地図が表示されているが、地図の縮尺をユーザの操作によって変更可能なようにテレビ１を構成してもよい。また、例えば、番組表に含まれる番組情報が一定の件数に満たない場合、または一定の件数を越える場合には、テレビ１は、表示される地図の縮尺を拡大または縮小することにより、番組表に含まれる番組情報が一定の件数になるように自動的に変更する構成としてもよい。さらに、図３に示す例においては、放送番組のタイトルに地名が含まれている場合を示しているが、放送番組のタイトルに地名が含まれていない場合には、当該番組情報に対応する位置情報が示す地名を付加して放送番組のタイトルを表示する構成としてもよい。
【００５７】
続いて、ＯＳＤ生成部１０８による位置情報の取得について図４を参照して説明する。ＯＳＤ生成部１０８は、上述のようにＥＩＴをパースすることにより、位置情報を取得する。図４は、ＥＩＴに含まれる位置情報の一例を示す図であり、図４（ａ）は、ＥＩＴに位置情報記述子として位置情報が付加される場合の一例を示し、図４（ｂ）は、ＥＩＴに位置情報を取得するためのＵＲＬ（Uniform Resource Locator）が付加される場合の一例を示す。
【００５８】
図４（ａ）に示すように、送出機２のＳＩ／ＥＰＧ生成部２０２がＥＩＴに付加する位置情報記述子には、以下の（１）から（５）の情報が記述されている。
（１）geodetic_system：緯度情報及び経度情報の測地系を示す４ビットのフィールドである。例えば、「０ｘ０」の場合には、緯度情報及び経度情報の記載がないことを示している。また、「０ｘ１」の場合には、世界測地系：ＷＧＳ（World Geodetic System）８４に対応した緯度情報及経度情報であり、「０ｘ２」の場合には、世界測地系：ＪＧＤ（Japanese Geodetic Datum）２０００に対応した緯度情報及び経度情報であることを示している。
（２）north_south_flag：（３）に記述された緯度が、北緯であるか南緯であるかを示す１ビットのフィールドである。例えば、「０」の場合には南緯であり、「１」の場合には、北緯であることを示している。
（３）latitude：緯度の値を示す２３ビットのフィールドであり、度数単位で表現した数値を４００００倍（０．００００２５度単位：約２．７８ｍ精度）した値を符号なし整数で示している。例えば、緯度が９０度の場合には、「０ｘ３６ＥＥ８０」になる。位置を示さない場合には、「０ｘ７ＦＦＦＦＦ」が設定される。
（４）west_east_flag：（５）に記述された経度が、西経であるか東経であるかを示す１ビットのフィールドである。例えば、「０」の場合には、西経であり、「１」の場合には東経であることを示している。
（５）longitude：経度の値を示す２３ビットのフィールドであり、度数単位で表現した数値を４００００倍（０．００００２５度単位：赤道上で約２．７８ｍ精度、緯度３５度上で約２．２８ｍ精度）した値を符号なし整数で示している。例えば、経度が１８０度の場合には、「０ｘ６ＤＤＤ００」になる。位置を示さない場合には、「０ｘ７ＦＦＦＦＦ」が設定される。
【００５９】
ＯＳＤ生成部１０８は、ＥＩＴをパースし、上記（１）から（５）の情報を抽出することにより、放送番組に関連する地域を示す位置情報を取得することができる。
【００６０】
また、図４（ｂ）に示すように、送出機２のＳＩ／ＥＰＧ生成部２０２は、ＥＩＴに位置情報を取得するためのＵＲＬ（Uniform Resource Locator）を付加する構成としてもよい。図４（ｂ）に破線にて示しているように、「[Item Name]」として「番組位置情報ＵＲＬ」が設定されており、「[Item Body]」には、位置情報を取得するためのＵＲＬが記述されている。ＯＳＤ生成部１０８は、ＥＩＴをパースすることにより、図４（ｂ）に示すような位置情報を取得するためのＵＲＬを取得すると、ＣＰＵ１１８に、当該ＵＲＬから位置情報を取得する指示を送信する。ＣＰＵ１１８は、図示しないイーサーネット（登録商標）インターフェースを介して、当該ＵＲＬから位置情報を取得し、ＲＡＭ１１７に格納する。
【００６１】
なお、放送番組に関連する地域を示す位置情報としては、緯度及び経度によって決定される位置を示すものであってもよいし、例えば、「○○県」、または「○○市」などのように、大まかな地域を示すものであってもよい。また、位置情報として、複数の地域を示す情報が含まれていてもよい。
【００６２】
続いて、ＯＳＤ生成部１０８が、番組表の生成に先立って行う処理について図５及び図６を参照して説明する。ＯＳＤ生成部１０８は、番組表の生成に先立って、位置情報が含まれているＥＩＴに対応する放送番組の一覧を示す、位置情報番組リストを作成する。例えば、放送番組の内容によっては、当該放送番組の番組情報に、当該放送番組に関連する地域を示す位置情報が含まれていない場合があり得る。そのため、ＯＳＤ生成部１０８は、予め各放送番組のＥＩＴをパースし、位置情報番組リストを作成することにより、番組表を生成する際の処理効率を向上させることができる。
【００６３】
具体的には、ＯＳＤ生成部１０８は、ＥＩＴをパースすることにより番組情報を取得し、イベントＩＤ毎の番組情報が格納された番組情報データベースを作成する。さらに、ＯＳＤ生成部１０８は、番組情報データベースに含まれる各番組情報について、位置情報が含まれているか否かを判定する。ＯＳＤ生成部１０８は、上記判定の結果、位置情報が含まれていると判定された番組情報を抽出することにより、位置情報番組リストを作成する。なお、ＯＳＤ生成部１０８により作成される番組情報データベース及び位置情報番組リストは、ＲＡＭ１１７に格納される。
【００６４】
図５は、ＯＳＤ生成部１０８が番組表の生成に先立って位置情報番組リストを生成する際の動作の一例を示すフローチャートである。
【００６５】
（ステップＳ１１）
まず、地上デジタル放送チューナ１０２及び衛星放送チューナ１０３は、ＥＩＴを受信し、ＯＳＤ生成部１０８に供給する。
【００６６】
（ステップＳ１２）
続いて、ＯＳＤ生成部１０８は、地上デジタル放送チューナ１０２及び衛星放送チューナ１０３から供給されたＥＩＴをパースする。
【００６７】
（ステップＳ１３）
続いて、ＯＳＤ生成部１０８は、Ｓ１２にてパースしたＥＩＴに番組情報が含まれているか否かを判定する。ＯＳＤ生成部１０８は、ＥＩＴに番組情報が含まれていると判定された場合にはＳ１４の処理に進み、ＥＩＴに番組情報が含まれていないと判定された場合には、処理を終了する。
【００６８】
（ステップＳ１４）
Ｓ１３にて、ＥＩＴに番組情報が含まれていると判定されると、ＯＳＤ生成部１０８は、当該番組情報を含む番組情報データベースを作成する。なお、Ｓ１４において、番組情報データベースが既に作成されている場合には、当該番組情報を番組情報データベースに追加する。
【００６９】
（ステップＳ１５）
続いて、ＯＳＤ生成部１０８は、Ｓ１２にてパースしたＥＩＴに含まれる番組情報に、位置情報が含まれているか否かを判定する。ＯＳＤ生成部１０８は、番組情報に位置情報が含まれていると判定された場合にはＳ１６の処理に進み、番組情報に位置情報が含まれていないと判定された場合には、処理をＳ１１に戻す。
【００７０】
（ステップＳ１６）
Ｓ１３にて、番組情報に位置情報が含まれていると判定されると、ＯＳＤ生成部１０８は、当該位置情報が含まれている番組情報を含む位置情報番組リストを作成する。なお、Ｓ１６において、位置情報番組リストが作成されている場合には、当該位置情報が含まれている番組情報を、位置情報番組リストに追加する。
【００７１】
以上の手順により、ＯＳＤ生成部１０８は、位置情報番組リストを作成する。
【００７２】
続いて、ＯＳＤ生成部１０８が作成する番組情報データベース及び位置情報番組リストの一例について図６を参照して説明する。図６は、ＯＳＤ生成部１０８が作成する番組情報データベース及び位置情報番組リストの一例を示す図である。図６に示すように、番組情報データベースにおいては、各番組情報を区別するための整理番号、サービスＩＤ、イベントＩＤ、番組名、及び位置情報記述子の有無を示す情報がそれぞれ関連づけられて格納されている。番組情報に位置情報記述子が含まれている場合、位置情報記述子の有無を示す情報には、当該位置情報記述子が示す位置情報がさらに関連づけられる。また、図６に示すように、位置情報番組リストには、位置情報が含まれている番組情報を指し示すポインタが格納されている。位置情報番組リストに格納されるポインタとしては、例えば、番組情報リストにおける整理番号を示すものであればよい。なお、本実施形態においては、位置情報番組リストにポインタが格納される構成としているが、本発明はこれに限定されるものではない。位置情報番組リストに格納される情報は、番組を一意に特定することができる情報であればよく、例えば、番組名を示す情報を格納する構成としてもよい。
【００７３】
続いて、テレビ１が番組表を表示する際の動作について図７及び図８を参照して説明する。図７は、テレビ１が番組表を表示する際の動作の一例を示すフローチャートであり、図８は、テレビ１が表示する番組表の一例を示す図である。
【００７４】
（ステップＳ２１）
まず、テレビ１は、ユーザから電子番組表を表示する操作指示を受け付けると、位置情報番組リストに少なくとも１つ以上の番組情報が格納されているか否かを判定する。位置情報番組リストに少なくとも１つ以上の番組情報が格納されていると判定された場合、テレビ１は、Ｓ２２の処理に進み、位置情報番組リストに番組情報が格納されていないと判定された場合、テレビ１は、Ｓ２９の処理に進む。
【００７５】
（ステップＳ２２）
Ｓ２１にて位置情報番組リストに少なくとも１つ以上の番組情報が格納されていると判定されると、テレビ１は、地図を表示するか否か、すなわち、従来の電子番組表、または番組表の何れを表示するかを示すユーザの選択操作を受け付ける。この場合、Ｓ２２において、ＯＳＤ生成部１０８は、ユーザの選択操作待ちであることを示す画面を生成し、生成した画面をＬＣＤ１１０に表示させるように構成してもよい。
【００７６】
（ステップＳ２３）
続いて、テレビ１は、Ｓ２２にて受け付けた選択操作が、地図を表示する、すなわち、番組表を表示することを示す操作、または、従来の電子番組表を表示することを示す操作の何れであるかを判定する。番組表を表示することを示す操作であると判定された場合、テレビ１は、Ｓ２４の処理に進み、従来の電子番組表を表示することを示す操作であると判定された場合、テレビ１は、Ｓ２９の処理に進む。
【００７７】
（ステップＳ２４）
Ｓ２３にて番組表を表示することを示す操作であると判定されると、ＯＳＤ生成部１０８は、位置情報番組リストを参照し、番組情報データベースから、位置情報が含まれている番組情報を抽出する。
【００７８】
（ステップＳ２５）
続いて、テレビ１は、番組リストの表示順序、すなわち、番組リストに含まれる番組情報を放送時間順、または、地図上の緯度の順の何れの順序で表示するかを示すユーザの選択操作を受け付ける。例えば、ＯＳＤ生成部１０８は、図８（ａ）に示す番組表を生成する。
【００７９】
（ステップＳ２６）
続いて、テレビ１は、Ｓ２５にて受け付けた選択操作が、放送時間順に表示することを示す操作、または、地図上の緯度の順に表示することを示す操作の何れであるかを判定する。放送時間順に表示することを示す操作であると判定された場合、テレビ１は、Ｓ２７の処理に進み、地図上の緯度の順に表示することを示す操作であると判定された場合、テレビ１は、Ｓ２８の処理に進む。
【００８０】
（ステップＳ２７）
Ｓ２６にて、放送時間順に表示することを示す操作であると判定されると、ＯＳＤ生成部１０８は、番組リストに含まれる番組情報を、当該番組情報の示す放送番組の放送時間順に配置した番組表を生成する。例えば、ＯＳＤ生成部１０８は、図８（ｂ）に示す番組表を生成する。図８（ｂ）に示す例において、番組リストに含まれる各番組情報の示す放送番組の放送時間は、それぞれ、「2014/5/4（日）18：00〜」、「2014/5/6（火）18：00〜」、「2014/5/10（土）18：00〜」、及び「2014/5/11（日）18：00〜」であり、各番組情報は、放送時間順に配置されている。ＯＳＤ生成部１０８は、生成した番組表をＬＣＤコントローラ１０９に供給し、ＬＣＤ１１０には、番組表が表示される。
【００８１】
（ステップＳ２８）
Ｓ２６にて、地図上の緯度の順に表示することを示す操作であると判定されると、ＯＳＤ生成部１０８は、番組リストに含まれる番組情報を、当該番組情報に含まれる位置情報が示す緯度の順に配置した番組表を生成する。例えば、ＯＳＤ生成部１０８は、図８（ｃ）に示す番組表を生成する。図８（ｃ）に示す例において、番組リストに含まれる各番組情報の示す放送番組に関連する地域は、それぞれ、「知床」、「盛岡」、「出雲」、「沖縄」であり、各番組情報は、地図上の緯度の順に配置されている。なお、本実施形態において、地図の北から南に向かう方向に沿って並べた順に各番組情報を配置したが、本発明はこれに限定されるものではない。すなわち、番組表に含まれる地図において各オブジェクトが配置されている順と、番組リストに含まれる各番組情報との対応が取れていればよい。例えば、番組リストに含まれる各番組情報を水平方向に並べて配置する場合には、各番組情報を、地図上の経度の順に配置してもよい。ＯＳＤ生成部１０８は、生成した番組表をＬＣＤコントローラ１０９に供給し、ＬＣＤ１１０には、番組表が表示される。
【００８２】
（ステップＳ２９）
Ｓ２１にて位置情報番組リストに番組情報が格納されていないと判定された場合、または、Ｓ２３にて従来の電子番組表を表示することを示す操作であると判定された場合、ＯＳＤ生成部１０８は、従来の電子番組表を示す番組表を生成する。ＯＳＤ生成部１０８は、生成した番組表をＬＣＤコントローラ１０９に供給し、ＬＣＤ１１０には、従来の電子番組表が表示される。
【００８３】
以上のように、テレビ１は、ユーザの操作指示に従って、番組表または、従来の電子番組表の何れかを表示することができる。
【００８４】
なお、図７に示す例において、番組リストの表示順序をユーザに選択させた後に、番組表を表示する構成について説明したが、本発明はこれに限定されるものではない。例えば、各番組情報を放送時間順に配置した番組リストを含む番組表を表示させた後に、ユーザ操作に基づいて番組リストの表示順序を変更する構成としてもよい。
【００８５】
（番組表の例）
ＯＳＤ生成部１０８が生成する番組表の他の一例について説明する。図９は、テレビ１が表示する番組表の他の一例を示す図であり、図９（ａ）は、ＯＳＤ生成部１０８が１つのテンプレートを生成する場合の番組表の一例を示している。
【００８６】
図９（ａ）に示す例において、ＯＳＤ生成部１０８は、テンプレートＴ２を生成する。テンプレートＴ２は、図３に示したテンプレートＴ１と同様に、図９（ａ）において破線で示された領域のうち、（１）から（４）の番号が付された旗状の目印（オブジェクト）を除く領域、すなわち、日本列島の地図である。図９（ａ）に示す例において、ＯＳＤ生成部１０８は、テンプレートＴ２に、オブジェクトを配置するとともに、各番組情報に当該番組情報の示す放送番組に関連する画像が付されたセルを配置することにより番組表を生成する。上記の構成において、各番組情報に付される画像は、例えば、当該番組情報に含まれるＵＲＬから取得可能な画像であればよい。図９（ａ）に示す例においては、番組情報と合わせて、当該番組情報の示す放送番組の内容を画像としてユーザに提示することができるので、当該番組情報の示す放送番組の内容を、ユーザに分かりやすく提示することができる。
【００８７】
図９（ｂ）は、ＯＳＤ生成部１０８が複数のテンプレートを生成する場合の番組表の一例を示している。図９（ｂ）に示す例において、テレビ１は、テンプレートＴ３にオブジェクトを配置することにより生成した番組表を表示している。テンプレートＴ３は、テンプレートＴ２と同様に、図９（ｂ）において破線で示された領域のうち、（１）から（４）の番号が付された旗状の目印（オブジェクト）を除く領域、すなわち、日本列島の地図である。すなわち、図９（ｂ）に示す例において、ＯＳＤ生成部１０８は、テンプレートＴ３に、オブジェクトを配置するとともに、各番組情報に当該番組情報の示す放送番組に関連する画像が付されたセルを配置することにより番組表を生成する。図９（ｂ）に示す例においては、番組表の上部に放送番組のジャンルを示す複数のタブがさらに表示されている。図９（ｂ）に示すように、放送番組のジャンルとしては、例えば、「旅」、「スポーツ」、「料理」、「歴史」、「ニュース」、及び「ドラマ」が挙げられる。
【００８８】
ＯＳＤ生成部１０８は、「旅」のジャンルに該当する放送番組の番組表を生成するために、テンプレートＴ３を生成する。図９（ｂ）に示す例において、ユーザが「旅」以外の他のジャンルを示すタブを選択する操作を行うと、ＯＳＤ生成部１０８は、当該操作指示に応じたテンプレートに切り替えてもよい。ＯＳＤ生成部１０８は、「旅」以外のジャンルに該当する放送番組の番組表を生成するために、テンプレートＴ３とは異なるテンプレートを生成し、該テンプレートに各番組情報に対応するオブジェクトを配置することにより番組表を生成する。これにより、ＬＣＤコントローラ１０９は、ユーザの操作指示に応じたジャンルに該当する放送番組の番組表をＬＣＤ１１０に表示させることができる。例えば、ユーザが「料理」のジャンルを示すタブを選択する操作を行うと、ＬＣＤコントローラ１０９は、図１５に示す番組表をＬＣＤ１１０に表示させる。なお、ＯＳＤ生成部１０８が、「旅」のジャンル以外の放送番組の番組表を生成する場合については、後述の他の実施形態として説明する。
【００８９】
〔第１の変形例〕
続いて、第１の変形例に係るテレビ１について図１０を参照して説明する。本変形例に係るテレビ１の構成は、第１の実施形態に係るテレビ１と同様であるので、その説明を省略する。本変形例においては、ＯＳＤ生成部１０８が生成する番組表が、第１の実施形態に係るテレビ１のＯＳＤ生成部１０８が生成する番組表と異なる。
【００９０】
図１０は、本変形例に係るテレビ１が表示する番組表の一例を示す図である。図１０に示す例においては、番組表に含まれる地図に付される各オブジェクトに、対応する番組情報の示す放送番組に関連する画像（サムネイル）が含まれている。
【００９１】
本変形例によれば、ユーザに、オブジェクトが付されている地図上の地域を確認させるとともに、当該オブジェクトに対応する番組情報の示す放送番組の内容を大まかに把握させることができる。
【００９２】
〔第２の変形例〕
続いて、第２の変形例に係るテレビ１について図１１を参照して説明する。本変形例に係るテレビ１の構成は、第１の実施形態に係るテレビ１と同様であるので、その説明を省略する。本変形例においては、ＯＳＤ生成部１０８が生成する番組表が、第１の実施形態に係るテレビ１のＯＳＤ生成部１０８が生成する番組表と異なる。
【００９３】
図１１は、本変形例に係るテレビ１が表示する番組表の一例を示す図である。図１１に示す例においては、第１の変形例と同様に、番組表に含まれる地図に付される各オブジェクトに、対応する番組情報の示す放送番組に関連する画像（サムネイル）が含まれている。さらに、図１１に示す例においては、各番組情報の示す放送番組の各々に関連する地域に含まれる施設の名称及び住所などの情報が含まれている。
【００９４】
本変形例によれば、番組情報だけでなく、当該番組情報の示す放送番組に関連する地域についての詳細な情報をユーザに提供することができる。
【００９５】
〔第３の変形例〕
続いて、第３の変形例に係るテレビ１について図１２を参照して説明する。本変形例に係るテレビ１の構成は、第１の実施形態に係るテレビ１と同様であるので、その説明を省略する。本変形例においては、ＯＳＤ生成部１０８が生成する番組表が、第１の実施形態に係るテレビ１のＯＳＤ生成部１０８が生成する番組表と異なる。
【００９６】
図１２は、本変形例に係るテレビ１が表示する番組表の一例を示す図である。図１２に示す例において、番組表には、番組情報の示す放送番組に関連した画像（サムネイル）と、当該放送番組に関連した複数の地域の地名のリストとが含まれている。
【００９７】
本変形例によれば、当該番組情報の示す放送番組に関連する複数の地域についての詳細な情報をユーザに提供することができる。
【００９８】
〔第２の実施形態〕
本発明の第２の実施形態について、図面に基づいて説明すれば、以下のとおりである。なお、説明の便宜上、前記実施形態にて説明した部材と同じ機能を有する部材については、同じ符号を付記し、その説明を省略する。本実施形態に係るテレビ１は、第１の実施形態に係るテレビ１が表示する番組表とは異なり、各オブジェクトを、当該オブジェクトに対応する番組情報の示す放送番組に関連する年代及び国に対応する位置に配置した番組表を表示する。
【００９９】
本実施形態において、配置情報は、放送番組に関連する年代を示す年代情報、及び放送番組に関連する国を示す国情報である。したがって、本実施形態において、送出機２は、ＳＩ／ＥＰＧ生成部２０２により生成したＥＩＴに、年代情報及び国情報を付加したうえで、テレビ１に送出する。ＯＳＤ生成部１０８は、地上デジタル放送チューナ１０２及び衛星放送チューナ１０３から供給されたＥＩＴをパースすることにより、番組情報、年代情報、及び国情報を取得する。ここで、年代情報とは、例えば、当該放送番組において紹介されている年代、当該放送番組の舞台となる年代、または、当該放送番組の制作年を示す情報である。本実施形態においては、年代情報は、時間軸上の或る期間を特定する情報であればよく、例えば、当該放送番組が時代劇であれば、「江戸時代」、または○○年〜○○年などのような情報であればよい。また、国情報とは、当該放送番組に関連する国を示す情報であり、例えば、「日本」、「中国」、または「米国」など特定する情報であればよい。
【０１００】
図１３は、本実施形態に係るテレビ１が表示する番組表の一例を示す図である。図１３に示す例において、ＯＳＤ生成部１０８は、チャンネルを示す軸、及び放送時刻を示す軸の何れとも異なる２つの軸、すなわち、年代を示す軸、及び国を示す軸とによって張られるテンプレートＴ４を生成する。テンプレートＴ４は、図１３において破線で示された領域のうち、「テレビ画像」を示す複数のオブジェクトを除く領域である。図１３に示すように、テンプレートＴ４においては、年代を示す軸が横軸（表示画面において水平方向の軸）として表示されている。また、テンプレートＴ４においては、国を示す軸が縦軸（表示画面において垂直方向の軸）として表示されている。図１３に示す例において、ＯＳＤ生成部１０８は、取得した年代情報及び国情報を参照して、各オブジェクトを、生成したテンプレートＴ４上の位置であって、当該オブジェクトに対応する番組情報の示す放送番組に関連する年代及び国に対応する位置に配置することにより番組表を生成する。図１３に示すように、テンプレートＴ４において、放送番組に関連する年代及び国に対応する位置に当該放送番組に関連したテレビ画像（サムネイル）がそれぞれ配置されている。また、図１３に示すように、或る年代及び国に対応する放送番組が複数存在する場合には、各放送番組に関連した画像の一部が重なりあうように表示してもよい。上記の場合には、例えば、各放送番組のうち、放送時間が最も早い放送番組が手前になるように配置してもよい。
【０１０１】
本実施形態に係るテレビ１によれば、番組情報の示す放送番組の内容が、何れの年代及び国に関連しているかを、ユーザに提示することができるので、ユーザが所望の放送番組を見つけることをより容易にすることができる。
【０１０２】
〔第３の実施形態〕
本発明の第３の実施形態について、図面に基づいて説明すれば、以下のとおりである。なお、説明の便宜上、前記実施形態にて説明した部材と同じ機能を有する部材については、同じ符号を付記し、その説明を省略する。本実施形態に係るテレビ１は、第１の実施形態に係るテレビ１が表示する番組表とは異なり、各オブジェクトを、当該オブジェクトに対応する番組情報の示す放送番組の対象学年及び対象教科に対応する位置に配置した番組表を表示する。
【０１０３】
本実施形態において、配置情報は、放送番組の対象学年及び対象教科を示す情報である。したがって、本実施形態において、送出機２は、ＳＩ／ＥＰＧ生成部２０２により生成したＥＩＴに、放送番組の対象学年及び対象教科を示す情報を付加したうえで、テレビ１に送出する。ＯＳＤ生成部１０８は、地上デジタル放送チューナ１０２及び衛星放送チューナ１０３から供給されたＥＩＴをパースすることにより、番組情報と、当該番組情報の示す放送番組の対象学年及び対象教科を示す情報とを取得する。ここで、放送番組の対象学年及び対象教科を示す情報は、例えば、「小学１年生向けの国語」などのような情報である。
【０１０４】
図１４は、本実施形態に係るテレビ１が表示する番組表の一例を示す図である。図１４に示す例において、ＯＳＤ生成部１０８は、チャンネルを示す軸、及び放送時刻を示す軸の何れとも異なる２つの軸、すなわち、放送番組の対象学年を示す軸と、放送番組の対象教科を示す軸とによって張られるテンプレートＴ５を生成する。テンプレートＴ５は、図１４において破線で示された領域のうち、「テレビ画像」を示す複数のオブジェクトを除く領域である。図１４に示すように、テンプレートＴ５においては、放送番組の対象学年を示す軸が縦軸（表示画面において垂直方向）として表示されている。また、テンプレートＴ５においては、放送番組の対象教科を示す軸が横軸（表示画面において水平方向）として表示されている。図１４に示す例において、ＯＳＤ生成部１０８は、取得した放送番組の対象学年及び対象教科を示す情報を参照して、各オブジェクトを、生成したテンプレートＴ５上の位置であって、当該オブジェクトに対応する番組情報の示す放送番組の対象学年及び対象教科に対応する位置に配置することにより番組表を生成する。図１４に示すように、テンプレートＴ５において、放送番組の対象学年及び対象教科に対応する位置に、当該放送番組に関連した画像（サムネイル）がそれぞれ配置されている。
【０１０５】
本実施形態に係るテレビ１によれば、番組情報の示す放送番組の内容が、何れの対象学年及び対象教科に対応しているかを、ユーザに提示することができるので、ユーザが所望の放送番組を見つけることをより容易にすることができる。
【０１０６】
〔第４の実施形態〕
本発明の第４の実施形態について、図面に基づいて説明すれば、以下のとおりである。なお、説明の便宜上、前記実施形態にて説明した部材と同じ機能を有する部材については、同じ符号を付記し、その説明を省略する。本実施形態に係るテレビ１は、第１の実施形態に係るテレビ１が表示する番組表とは異なり、画像内に各オブジェクトを配置した番組表を表示する。
【０１０７】
本実施形態において、配置情報は、放送番組の内容に応じて当該放送番組を分類する分類情報である。したがって、本実施形態において、送出機２は、ＳＩ／ＥＰＧ生成部２０２により生成したＥＩＴに、分類情報を付加したうえで、テレビ１に送出する。ＯＳＤ生成部１０８は、地上デジタル放送チューナ１０２及び衛星放送チューナ１０３から供給されたＥＩＴをパースすることにより、番組情報及び分類情報を取得する。ここで、分類情報は、例えば、放送番組が料理番組である場合には、当該料理番組において紹介される料理のメニューの内容に応じて、当該放送番組を分類するための情報である。例えば、「主菜」、「前菜」、「ご飯／丼」、「サラダ」、または「汁物」などのように、料理番組を分類することができる。さらに、分類情報には、料理番組において紹介される料理に関連する国を示す国情報が含まれていてもよい。また、分類情報の他の一例としては、例えば、放送番組が健康に関する番組である場合には、当該健康番組において紹介されている内容が、体のどの部位に関連しているかを示す情報である。ＯＳＤ生成部１０８は、取得した分類情報を参照して、各オブジェクトを、画像内に配置することにより番組表を生成する。
【０１０８】
図１５は、本実施形態に係るテレビ１が表示する番組表の一例を示す図である。図１５に示す例において、ＯＳＤ生成部１０８は、チャンネルを示す軸、及び放送時刻を示す軸の何れとも異なる２つの軸によって張られるテンプレートＴ６を生成する。テンプレートＴ６は、図１５において破線で示された領域のうち、番組情報を表示するセルが含まれている吹き出し状のオブジェクトを除く領域である。図１５に示すように、テンプレートＴ６には、料理を示す画像が含まれている。また、図１５に示すように、テンプレートＴ６には、料理を示す画像に加えて、国を示す複数の画像（各国に対応した国旗の画像）が含まれている。図１５に示す例においては、「日本」を示す画像が選択されている。図１５に示す例において、料理を示す画像のうち、お茶碗が表示されている領域に関連付けて、「日本」に関連する料理であって、「ご飯」に関連する料理を紹介する料理番組の番組情報が配置されている。
【０１０９】
図１６は、本実施形態に係るテレビ１が表示する番組表の他の一例を示す図である。図１６に示す例において、ＯＳＤ生成部１０８は、チャンネルを示す軸、及び放送時刻を示す軸の何れとも異なる２つの軸によって張られるテンプレートＴ７を生成する。テンプレートＴ７は、図１５において破線で示された領域のうち、番組情報を表示するセルが含まれている吹き出し状の複数のオブジェクトを除く領域である。図１６に示すように、テンプレートＴ７には、体の部位を示す画像が含まれている。また、図１６に示すように、体の部位を示す画像のうち、顔が表示されている領域に関連づけて、顔の健康に関する健康番組の番組情報が配置されている。また、図１６に示すように、体の部位を示す画像のうち、お腹が表示されている領域に関連づけて、お腹の健康に関する健康番組の番組情報が配置されている。
【０１１０】
このように、本実施形態では、画像に含まれる各要素に関連付けて、対応する各オブジェクトを表示する。
【０１１１】
本実施形態に係るテレビ１によれば、番組情報の示す放送番組の内容が、何れの料理又は体の部位に対応しているかを、ユーザに提示することができるので、ユーザが所望の放送番組を見つけることをより容易にすることができる。
【０１１２】
〔第５の実施形態〕
本発明の第５の実施形態について、図面に基づいて説明すれば、以下のとおりである。なお、説明の便宜上、前記実施形態にて説明した部材と同じ機能を有する部材については、同じ符号を付記し、その説明を省略する。本実施形態に係るテレビ１は、第１の実施形態に係るテレビ１が表示する番組表とは異なり、各オブジェクトを、当該オブジェクトに対応する番組情報の示す放送番組に関連するキーワードに含まれる文字に関連づけて配置した番組表を表示する。
【０１１３】
本実施形態において、配置情報は、放送番組に関連するキーワードを示すキーワード情報、及び当該キーワードに関連する国を示す国情報である。したがって、本実施形態において、送出機２は、ＳＩ／ＥＰＧ生成部２０２により生成したＥＩＴに、キーワード情報及び国情報を付加したうえで、テレビ１に送出する。ＯＳＤ生成部１０８は、地上デジタル放送チューナ１０２及び衛星放送チューナ１０３から供給されたＥＩＴをパースすることにより、番組情報、当該番組情報の示す放送番組に関連するキーワードを示すキーワード情報、及び上記キーワードに関連する国を示す国情報を取得するものである。ここで、キーワード情報とは、例えば、放送番組がドラマである場合には、原作者の人物名を示す情報、または、放送番組の出演者の人物名（またはグループ名）を示す情報である。ＯＳＤ生成部１０８は、取得したキーワード情報及び国情報を参照して、各オブジェクトを、キーワードに含まれる文字（例えばキーワードの頭文字）と関連づけて配置することにより番組表を生成する。
【０１１４】
図１７は、本実施形態に係るテレビ１が表示する番組表の一例を示す図である。図１７に示す例において、ＯＳＤ生成部１０８は、チャンネルを示す軸、及び放送時刻を示す軸の何れとも異なる２つの軸、すなわち、放送番組に関連するキーワードに含まれる文字を示す軸と、上記キーワードに関連する国を示す軸とによって張られるテンプレートＴ８を生成する。テンプレートＴ８は、図１７において破線で示された領域のうち、人物名、作品名、及び放送番組に関連する画像を示すオブジェクトを除く領域である。図１７に示すように、テンプレートＴ８においては、国を示す軸が縦軸（表示画面において垂直方向）として表示されている。また、図１７に示すように、テンプレートＴ８においては、放送番組に関連する人物名の頭文字を示す軸が横軸（表示画面において水平方向）として表示されている。図１７に示す例においては、「日本」に関連する人物であって、名前の頭文字が「い」である人物が選択されていることを示している。図１７に示すように、頭文字を示す軸の下方には、名前の頭文字が「い」である人物名と関連づけて当該人物の作品名が表示されている。図１７に示すように、原作Ａ及び原作Ｂに関連づけてドラマＡの画像（サムネイル）が配置されており、原作Ｃに関連付けてドラマＢの画像が配置されている。例えば、図１７に示す例において、原作者の著作を、年代ごとにさらに分類するなど、縦軸をさらに階層的に表示する構成を採用してもよい。
【０１１５】
本実施形態に係るテレビ１によれば、番組情報の示す放送番組の内容が、何れのキーワードに関連しているかを、ユーザに提示することができるので、ユーザが所望の放送番組を見つけることをより容易にすることができる。
【０１１６】
〔テレビ１の構成例〕
図１８は、上述の各実施形態に係るテレビ１の構成例を示す外観図である。テレビ１の構成例は、例えば、図１８（ａ）に示す構成でもよい。図１８（ａ）に例示したテレビ１は、外付ディスプレイ３と無線通信により接続されており、テレビ１がＬＣＤ１１０（内蔵ディスプレイ）を備えていない場合においても、外付ディスプレイ３に画像を表示することができる。なお、テレビ１と、外付ディスプレイ３との接続は有線接続であってもよい。また、テレビ１の構成例として、例えば、図１８（ｂ）に示す構成としてもよい。図１８（ｂ）におけるテレビ１は、上述の各実施形態にて説明した通り、ＬＣＤ１１０（内蔵ディスプレイ）を備えている。また、テレビ１の構成例として、例えば、図１８（ｃ）に示すような構成としてもよい。図１８（ｃ）におけるテレビ１は、例えば、ＤＶＤ（Digital Versatile Disc）プレーヤなどの外部機器４により再生された画像を表示するものであってもよい。
【０１１７】
〔テレビ１の適用例〕
上述の各実施形態においては、放送番組の番組情報に基づいて番組表を生成する構成について説明したが、本発明を放送番組だけではなく、録画された番組の一覧を表示する場合、または、ＶＯＤ（Video On Demand）配信されるコンテンツの一覧を表示する場合に適用することも可能である。
【０１１８】
〔ソフトウェアによる実現例〕
テレビ１の制御ブロック（特にＯＳＤ生成部１０８）は、集積回路（ＩＣチップ）等に形成された論理回路（ハードウェア）によって実現してもよいし、ＣＰＵ（Central Processing Unit）を用いてソフトウェアによって実現してもよい。
【０１１９】
後者の場合、テレビ１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１２０】
〔まとめ〕
本発明の態様１に係る表示装置（テレビ１）は、放送番組の情報を示す番組情報に対応するオブジェクトが配置されるテンプレートであって、チャンネルを示す軸及び放送時刻を示す軸の何れとも異なる２つの軸によって張られる１又は複数のテンプレートを生成するテンプレート生成手段（ＯＳＤ生成部１０８）と、上記番組情報を取得する取得手段（地上デジタル放送チューナ１０２、衛星放送チューナ１０３）と、上記取得手段により取得した上記番組情報を参照して、上記１又は複数のテンプレートに上記オブジェクトを配置することにより番組表を生成する番組表生成手段（ＯＳＤ生成部１０８）と、を備えている、ことを特徴としている。
【０１２１】
上記の構成によれば、上記表示装置は、上記オブジェクトが配置される１又は複数のテンプレートを生成する。上記表示装置は、上記番組情報を参照して、上記オブジェクトを上記１又は複数のテンプレートに配置することにより、番組表を生成する。ここで、上記１又は複数のテンプレートは、チャンネルを示す軸及び放送時刻を示す軸の何れとも異なる２つの軸によって張られるテンプレートである。そのため、上記表示装置により生成された番組表は、従来の電子番組表とは異なる番組表である。
【０１２２】
したがって、上記の構成によれば、ユーザが所望の放送番組を見つけることを容易にすることができる。
【０１２３】
本発明の態様２に係る表示装置は、上記態様１において、上記１又は複数のテンプレートのうち、少なくとも１つのテンプレートは、地図であり、上記番組表生成手段は、上記オブジェクトを、当該オブジェクトに対応する番組情報の示す放送番組に関連する地域であって、上記地図上に示される地域と関連づけて配置する、ことが好ましい。
【０１２４】
上記の構成によれば、上記番組表生成手段は、上記番組情報に対応するオブジェクトを、当該番組情報の示す放送番組に関連する地域であって上記地図上に示される地域と関連づけて配置することにより、番組表を生成する。ここで、「放送番組に関連する地域」には、例えば、当該放送番組において紹介されている地域、または当該放送番組の舞台となっている地域などが含まれる。
【０１２５】
したがって、上記の構成によれば、上記番組情報の示す放送番組の内容が、上記地図上に示される何れの地域に関連しているかを、ユーザに提示することができるので、ユーザが所望の放送番組を見つけることをより容易にすることができる。
【０１２６】
本発明の態様３に係る表示装置は、上記態様２において、上記番組表は、上記オブジェクトが付された地図と、各番組情報と上記オブジェクトとが対応付けられた番組情報一覧（番組リスト）と、を含んでいる、ことが好ましい。
【０１２７】
上記の構成によれば、上記番組表生成手段は、上記番組情報の示す放送番組に関連する地域であって、上記地図上に示される地域に上記オブジェクトを付した地図を含む番組表を生成する。また、上記番組表生成手段が生成する表示画面には、上記オブジェクトと各番組情報とが対応付けられた番組情報一覧が含まれている。
【０１２８】
したがって、上記の構成によれば、上記番組情報一覧に含まれる各番組情報の示す放送番組の内容が、上記オブジェクトが付された上記地図上の位置に関連していることを、ユーザに提示することができるので、ユーザが所望の放送番組を見つけることをさらに容易にすることができる。
【０１２９】
本発明の態様４に係る表示装置は、上記態様３において、上記番組情報に、当該番組情報の示す放送番組に関連する地域を示す位置情報が含まれているか否かを判定する判定手段（ＯＳＤ生成部１０８）と、上記判定手段により上記位置情報が含まれていると判定された番組情報を抽出する抽出手段（ＯＳＤ生成部１０８）と、を更に備え、上記番組表生成手段は、上記抽出手段により抽出された番組情報に含まれる位置情報が示す上記地図上の位置に上記オブジェクトを付す、ことが好ましい。
【０１３０】
上記番組情報に含まれる情報は、当該番組情報の示す放送番組の内容に応じて異なっており、放送番組の内容によっては、当該放送番組に関連する地域を示す位置情報が含まれていない場合もある。上記の構成によれば、上記表示装置は、上記判定手段により、上記位置情報が含まれていると判定された番組情報を抽出し、抽出された番組情報に含まれる位置情報が示す上記地図上の位置に上記オブジェクトを付す。
【０１３１】
したがって、上記の構成によれば、上記番組表生成手段が番組表を生成する際の処理効率の向上に資する。
【０１３２】
本発明の態様５に係る表示装置は、上記態様３または４において、上記番組表生成手段は、上記番組情報一覧において、当該番組情報の示す放送番組の放送時刻の順に、各番組情報を配置する、ことが好ましい。
【０１３３】
上記の構成によれば、上記番組情報一覧に含まれる各番組情報の示す放送番組に関連する地域、及び当該放送番組が放送される順番を合わせてユーザに提示することができる。
【０１３４】
本発明の態様６に係る表示装置は、上記態様３または４において、上記番組表生成手段は、上記番組情報一覧において、上記オブジェクトを上記地図における特定の方向に沿って並べた順に、各番組情報を配置する、構成としてもよい。
【０１３５】
上記の構成によれば、上記番組情報一覧において、各番組情報が配置される順と、上記オブジェクトを上記地図における特定の方向に沿って並べた順とが一致しているため、上記オブジェクトと各番組情報との対応関係を、ユーザに分かりやすく提示することができる。
【０１３６】
本発明の態様７に係る表示装置は、上記態様３から６において、上記番組表生成手段は、上記番組情報一覧において、各番組情報に、当該番組情報の示す放送番組に関連する画像を付して配置する、ことが好ましい。
【０１３７】
上記の構成によれば、上記番組情報と合わせて、当該番組情報の示す放送番組の内容を画像としてユーザに提示することができるので、当該番組情報の示す放送番組の内容を、ユーザに分かりやすく提示することができる。
【０１３８】
本発明の態様８に係る表示装置は、上記態様３から７において、上記オブジェクトには、当該オブジェクトに対応する番組情報の示す放送番組に関連する画像が含まれている、ことが好ましい。
【０１３９】
上記の構成によれば、ユーザに、上記オブジェクトが付されている上記地図上の地域を確認させるとともに、当該オブジェクトに対応する番組情報の示す放送番組の内容を大まかに把握させることができる。
【０１４０】
本発明の態様９に係る表示装置は、上記態様３から８において、上記番組表において、上記番組情報が表示される領域の色と、当該番組情報に対応する上記オブジェクトの色とが一致している、ことが好ましい。
【０１４１】
上記の構成によれば、各番組情報と上記オブジェクトとの対応付けを、ユーザに分かりやすく提示することができる。
【０１４２】
本発明の態様１０に係る表示装置は、上記態様３から９において、上記番組表は、当該番組情報の示す放送番組に関連する地域に含まれる施設の名称、住所、及び地名の少なくとも何れかを含んでいる、ことが好ましい。
【０１４３】
上記の構成によれば、上記番組情報だけでなく、上記番組情報の示す放送番組に関連する地域についての詳細な情報をユーザに提供することができる。
【０１４４】
本発明の態様１１に係る表示装置は、上記態様１において、上記１又は複数のテンプレートのうち、少なくとも１つのテンプレートは、上記放送番組に関連する年代を示す軸と、上記放送番組に関連する国を示す軸とによって張られるテンプレートであり、上記番組表生成手段は、上記オブジェクトを、当該オブジェクトに対応する番組情報の示す放送番組に関連する年代及び国に対応する位置に配置する、構成としてもよい。
【０１４５】
上記の構成によれば、上記番組表生成手段によって生成される上記番組表において、上記オブジェクトは、当該オブジェクトに対応する番組情報の示す放送番組に関連する年代及び国に対応する位置に配置されている。
【０１４６】
したがって、上記の構成によれば、上記番組情報の示す放送番組の内容が、何れの年代及び国に関連しているかを、ユーザに提示することができるので、ユーザが所望の放送番組を見つけることをより容易にすることができる。
【０１４７】
本発明の態様１２に係る表示装置は、上記態様１において、上記１又は複数のテンプレートのうち、少なくとも１つのテンプレートは、上記放送番組の対象学年を示す軸と、上記放送番組の対象教科を示す軸とによって張られるテンプレートであり、上記番組表生成手段は、上記オブジェクトを、当該オブジェクトに対応する番組情報の示す放送番組の対象学年及び対象教科に対応する位置に配置する、構成としてもよい。
【０１４８】
上記の構成によれば、上記番組表生成手段によって生成される上記番組表において、上記オブジェクトは、当該オブジェクトに対応する番組情報の示す放送番組の対象学年及び対象教科に対応する位置に配置されている。
【０１４９】
したがって、上記の構成によれば、上記番組情報の示す放送番組の内容が、何れの対象学年及び対象教科に対応しているかを、ユーザに提示することができるので、ユーザが所望の放送番組を見つけることをより容易にすることができる。
【０１５０】
本発明の態様１３に係る表示装置は、上記態様１において、上記１又は複数のテンプレートのうち、少なくとも１つのテンプレートは、料理又は体の部位を示す画像であってもよい。
【０１５１】
上記の構成によれば、上記番組表生成手段によって生成される上記番組表において、上記オブジェクトは、上記画像内に配置されている。
【０１５２】
したがって、上記の構成によれば、上記番組情報の示す放送番組の内容が、何れの料理又は体の部位に対応しているかを、ユーザに提示することができるので、ユーザが所望の放送番組を見つけることをより容易にすることができる。
【０１５３】
本発明の態様１４に係る表示装置は、上記態様１において、上記１又は複数のテンプレートのうち、少なくとも１つのテンプレートは、上記放送番組に関連するキーワードに含まれる文字を示す軸と、上記キーワードに関連する国を示す軸とによって張られるテンプレートであり、上記番組表生成手段は、上記オブジェクトを、当該オブジェクトに対応する番組情報の示す放送番組に関連するキーワードに含まれる文字と関連づけて配置する、構成としてもよい。
【０１５４】
上記の構成によれば、上記番組表生成手段によって生成される上記番組表において、上記オブジェクトは、当該オブジェクトに対応する番組情報の示す放送番組に関連するキーワードと関連づけて配置されている。
【０１５５】
したがって、上記の構成によれば、上記番組情報の示す放送番組の内容が、何れのキーワードに関連しているかを、ユーザに提示することができるので、ユーザが所望の放送番組を見つけることをより容易にすることができる。
【０１５６】
本発明の態様１５に係る表示装置は、上記態様１から１４において、上記１又は複数のテンプレートを切り替える切替手段（ＯＳＤ生成部１０８）をさらに備えている、ことが好ましい。
【０１５７】
上記の構成によれば、上記表示装置が表示する上記番組表のテンプレートを切り替えることができるので、ユーザが所望の放送番組を見つけることをさらに容易にすることができる。
【０１５８】
本発明の態様１６に係るテレビジョン受像機は、上記態様１から１５に係る表示装置を備えている、ことを特徴としている。
【０１５９】
上記の構成によれば、上記の表示装置と同様の効果を奏する。
【０１６０】
本発明の態様１７に係る送出機は、上記態様１から１５に係る表示装置に対し、上記表示装置が上記番組表を生成する際に参照する配置情報を送出する送出手段を備えている、ことを特徴としている。
【０１６１】
上記の構成によれば、上記の表示装置に従来の電子番組表とは異なる番組表を表示させることができるので、上記表示装置のユーザが所望の放送番組を見つけることを容易にすることができる。
【０１６２】
本発明の態様１８に係る放送システムは、上記態様１から１５に係る表示装置と、上記態様１７に係る送出機とを含んでいる、ことを特徴としている。
【０１６３】
上記の構成によれば、上記の表示装置と同様の効果を奏する。
【０１６４】
本発明の態様１９に係る表示方法は、放送番組の情報を示す番組情報に対応するオブジェクトが配置されるテンプレートであって、チャンネルを示す軸及び放送時刻を示す軸の何れとも異なる２つの軸によって張られる１又は複数のテンプレートを生成するテンプレート生成工程と、上記番組情報を取得する取得工程と、上記取得工程にて取得した上記番組情報を参照して、上記１又は複数のテンプレートに上記オブジェクトを配置することにより番組表を生成する番組表生成工程と、を含んでいる、ことを特徴としている。
【０１６５】
上記の構成によれば、上記の表示装置と同様の効果を奏する。
【０１６６】
本発明の各態様に係る表示装置は、コンピュータによって実現してもよく、この場合には、コンピュータを上記表示装置が備える各手段として動作させることにより上記表示装置をコンピュータにて実現させる表示装置の制御プログラム、およびそれを記録したコンピュータ読み取り可能な記録媒体も、本発明の範疇に入る。
【０１６７】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１６８】
本発明は、放送番組を表示することのできるテレビジョン受像機、携帯電話、スマートフォン、タブレット端末、パーソナルコンピュータ、及び、カーナビゲーションシステムなどに、好適に適用することができる。
【符号の説明】
【０１６９】
１        テレビ（表示装置）
１０２    地上デジタル放送チューナ（取得手段）
１０３    衛星放送チューナ（取得手段）
１０８    ＯＳＤ生成部（テンプレート生成手段、番組表生成手段、判定手段、抽出手段、切替手段）
２        送出機
１０        放送システム
Ｔ１〜Ｔ８  テンプレート
【図１】
0005931960.tif 000002
【図２】
0005931960.tif 000003
【図３】
0005931960.tif 000004
【図４】
0005931960.tif 000005
【図５】
0005931960.tif 000006
【図６】
0005931960.tif 000007
【図７】
0005931960.tif 000008
【図８】
0005931960.tif 000009
【図９】
0005931960.tif 000010
【図１０】
0005931960.tif 000011
【図１１】
0005931960.tif 000012
【図１２】
0005931960.tif 000013
【図１３】
0005931960.tif 000014
【図１４】
0005931960.tif 000015
【図１５】
0005931960.tif 000016
【図１６】
0005931960.tif 000017
【図１７】
0005931960.tif 000018
【図１８】
0005931960.tif 000019